(57)【要約】【課題】この発明は、製品の特徴を紹介する映像やその表示制御に関する情報等を容易に変更可能として、店頭での状況に応じた内容の店頭デモンストレーション機能を実現させることができ、実用に適し得るようにした映像表示装置及び映像表示方法を提供することを目的としている。【解決手段】製品を紹介する内容の映像を表示するための映像情報と、映像情報に基づく映像の表示に関する制御情報とを記録する記録手段（７６）と；記録手段（７６）に記録された制御情報を用いて映像情報に基づく映像を表示する表示手段（１４，７７）と；接続された外部記録媒体（１９，３８）に記録されている映像情報または制御情報を記録手段（７６）に書き込む制御手段（７７）とを備える。【選択図】    図２
2011160144.tif 000002
【特許請求の範囲】
【請求項１】
製品を紹介する内容の映像を表示するための映像情報と、前記映像情報に基づく映像の表示に関する制御情報とを記録する記録手段と、
前記記録手段に記録された制御情報を用いて前記映像情報に基づく映像を表示する表示手段と、
接続された外部記録媒体に記録されている映像情報または制御情報を前記記録手段に書き込む制御手段とを具備することを特徴とする映像表示装置。
【請求項２】
前記制御手段は、
前記外部記録媒体が接続される接続手段と、
前記接続手段に前記外部記録媒体が接続されたことを検出する検出手段と、
前記検出手段で接続されていることが検出された前記外部記録媒体から映像情報または制御情報を前記記録手段に書き込む書き込み手段とを備えることを特徴とする請求項１記載の映像表示装置。
【請求項３】
前記制御手段は、
前記外部記録媒体が接続される接続手段と、
前記接続手段に前記外部記録媒体が接続されたことを検出する検出手段と、
前記検出手段で接続されていることが検出された前記外部記録媒体に映像情報または制御情報が記録されていることを判別する判別手段と、
前記判別手段で映像情報または制御情報が記録されていると判別された前記外部記録媒体から映像情報または制御情報を前記記録手段に書き込む書き込み手段とを備えることを特徴とする請求項１記載の映像表示装置。
【請求項４】
前記記録手段は、
それぞれが製品を紹介する内容の映像を表示するための映像情報を含む複数の映像ファイルと、
それぞれが前記複数の映像ファイルに含まれる映像情報に基づく映像の表示に関する制御情報を含む複数の表示制御ファイルとを記録することを特徴とする請求項１記載の映像表示装置。
【請求項５】
前記記録手段は、
それぞれが製品の特徴、機能、性能の少なくともいずれかを紹介する内容の映像を表示するための映像情報を含む複数の映像ファイルと、
それぞれが、製品の機種毎に、前記複数の映像ファイルのファイル名、そのファイル名で指定される映像ファイルに含まれる映像情報に基づく映像の表示時間及び表示順序の少なくともいずれかを示す制御情報を含む複数の表示制御ファイルとを記録することを特徴とする請求項１記載の映像表示装置。
【請求項６】
前記記録手段は、
それぞれが製品の特徴、機能、性能の少なくともいずれかを紹介する内容の映像を表示するための映像情報を含む複数の映像ファイルと、
それぞれが、製品を紹介する内容の映像に表示される言語毎に、前記複数の映像ファイルのファイル名、そのファイル名で指定される映像ファイルに含まれる映像情報に基づく映像の表示時間及び表示順序の少なくともいずれかを示す制御情報を含む複数の表示制御ファイルとを記録することを特徴とする請求項１記載の映像表示装置。
【請求項７】
前記制御情報は、製品を紹介する内容の映像に表示される言語を指定する情報を含んでいることを特徴とする請求項１記載の映像表示装置。
【請求項８】
前記表示手段は、製品を紹介する内容の映像を番組の映像の一部に重ねて表示することを特徴とする請求項１記載の映像表示装置。
【請求項９】
製品を紹介する内容の映像を表示するための映像情報と、前記映像情報に基づく映像の表示に関する制御情報とを記録手段に記録する工程と、
記録された制御情報を用いて前記映像情報に基づく映像を表示する工程と、
接続された外部記録媒体に記録されている映像情報または制御情報を前記記録手段に書き込む工程とを有することを特徴とする映像表示方法。
【発明の詳細な説明】
【技術分野】
【０００１】
この発明は、例えばデジタルテレビジョン放送受信装置等に使用して好適する映像表示装置及び映像表示方法に関する。
【背景技術】
【０００２】
周知のように、近年のデジタルテレビジョン放送受信装置等にあっては、通常のデジタルテレビジョン放送を受信する機能を有するだけでなく、店頭における販売促進を目的とした特別な動作を行なう機能、いわゆる、店頭デモンストレーション機能を搭載した機種が出現してきている。
【０００３】
この店頭デモンストレーション機能としては、例えば製品の特徴を紹介する内容を含んだ複数種類の静止画を、予め設定された時間や順序等を示す制御情報に基づいて表示するものがある。なお、製品の特徴を紹介する静止画としては、表示画面全体に表示される場合と、受信している放送番組の表示映像の一部に重ねて表示される場合とがある。
【０００４】
ところで、このような店頭デモンストレーション機能を実現する技術は、まだ開発途上にある段階であって種々の点で改良を施す余地が残されている。特に、製品の特徴を紹介する静止画やその表示制御に関する情報は、製品毎に実装されて出荷されるため、店頭での状況に応じて内容を変更することができず実用に不向きな点を有している。
【０００５】
特許文献１には、主電源投入時に外部記憶媒体が挿入されていると、その外部記憶媒体内に予め定められた文書ファイルが存在するか否かを判別し、存在する場合、その文書ファイルを読み取って、外部記憶媒体に記憶された複数の画像をスライドショーによって表示するようにした技術が開示されている。
【先行技術文献】
【特許文献】
【０００６】
【特許文献１】特開２００４−３３６６８２号公報
【発明の概要】
【発明が解決しようとする課題】
【０００７】
そこで、この発明は上記事情を考慮してなされたもので、製品の特徴を紹介する映像やその表示制御に関する情報等を容易に変更可能として、店頭での状況に応じた内容の店頭デモンストレーション機能を実現させることができ、実用に適し得るようにした映像表示装置及び映像表示方法を提供することを目的とする。
【課題を解決するための手段】
【０００８】
この発明に係る映像表示装置は、製品を紹介する内容の映像を表示するための映像情報と、映像情報に基づく映像の表示に関する制御情報とを記録する記録手段と；記録手段に記録された制御情報を用いて映像情報に基づく映像を表示する表示手段と；接続された外部記録媒体に記録されている映像情報または制御情報を記録手段に書き込む制御手段とを備えるようにしたものである。
【０００９】
また、この発明に係る映像表示方法は、製品を紹介する内容の映像を表示するための映像情報と、映像情報に基づく映像の表示に関する制御情報とを記録手段に記録する工程と；記録された制御情報を用いて映像情報に基づく映像を表示する工程と；接続された外部記録媒体に記録されている映像情報または制御情報を記録手段に書き込む工程とを有するようにしたものである。
【発明の効果】
【００１０】
上記した発明によれば、接続された外部記録媒体に記録されている映像情報または制御情報を記録手段に書き込むようにしたので、製品の特徴を紹介する映像やその表示制御に関する情報等が容易に変更可能となり、店頭での状況に応じた内容の店頭デモンストレーション機能を実現させることができ、実用に適するものとなる。
【図面の簡単な説明】
【００１１】
【図１】この発明の実施の形態を示すもので、デジタルテレビジョン放送受信装置とそれを中心として構成されるネットワークシステムの一例を説明するために示す図。
【図２】同実施の形態におけるデジタルテレビジョン放送受信装置の主要な信号処理系の一例を説明するために示すブロック構成図。
【図３】同実施の形態におけるデジタルテレビジョン放送受信装置のリモートコントローラの一例を説明するために示す外観図。
【図４】同実施の形態におけるデジタルテレビジョン放送受信装置で表示されるノーマル／ストア選択画面の一例を説明するために示す図。
【図５】同実施の形態におけるデジタルテレビジョン放送受信装置で表示されるデモ選択画面の一例を説明するために示す図。
【図６】同実施の形態におけるデジタルテレビジョン放送受信装置のファイルメモリに格納された表示制御ファイル群の一例を説明するために示す図。
【図７】同実施の形態におけるデジタルテレビジョン放送受信装置の店頭デモンストレーション機能実行時の画面の表示内容の遷移の一例を説明するために示す図。
【図８】同実施の形態におけるデジタルテレビジョン放送受信装置で実行される主要な処理動作を説明するために示すフローチャート。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例とを概略的に示している。
【００１３】
すなわち、デジタルテレビジョン放送受信装置１１は、主として、薄型のキャビネット１２と、このキャビネット１２を起立させて支持する支持台１３とから構成されている。そして、このキャビネット１２には、例えばＳＥＤ（surface-conduction electron-emitter display）表示パネルまたは液晶表示パネル等でなる平面パネル型の映像表示器１４、一対のスピーカ１５、操作部１６、リモートコントローラ１７から送信される操作情報を受ける受光部１８等が設置されている。
【００１４】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード［ＩＣ（integrated circuit）カード等］２０が着脱可能となっており、この第２のメモリカード２０に対して情報の記録再生が行なわれるようになっている。
【００１６】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１７】
このうち、第１のＬＡＮ端子２１は、ＬＡＮ対応ＨＤＤ専用ポートとして使用される。すなわち、この第１のＬＡＮ端子２１は、それに接続されたＮＡＳ（network attached storage）であるＬＡＮ対応のＨＤＤ２５に対して、イーサネット（登録商標）により情報の記録再生を行なうために使用される。
【００１８】
このように、デジタルテレビジョン放送受信装置１１にＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による放送番組の情報記録を安定して行なうことができる。
【００１９】
また、第２のＬＡＮ端子２２は、イーサネット（登録商標）を用いた一般的なＬＡＮ対応ポートとして使用される。すなわち、この第２のＬＡＮ端子２２は、ハブ２６を介して、ＬＡＮ対応のＨＤＤ２７、ＰＣ（personal computer）２８、ＨＤＤ内蔵のＤＶＤ（digital versatile disk）レコーダ２９等の機器を接続して、例えば家庭内ネットワークを構築し、これらの機器と情報伝送を行なうために使用される。
【００２０】
この場合、ＰＣ２８及びＤＶＤレコーダ２９については、それぞれ、家庭内ネットワークにおいてコンテンツのサーバ機器として動作するための機能を持ち、さらにコンテンツのアクセスに必要なＵＲＩ（uniform resource identifier）情報を提供するサービスを備えたＵＰｎＰ（universal plug and play）対応機器として構成される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０が設けられている。
【００２２】
さらに、この第２のＬＡＮ端子２２は、ハブ２６に接続されたブロードバンドルータ３１を介して、例えばインターネット等の外部のネットワーク３２に接続される。そして、この第２のＬＡＮ端子２２は、ネットワーク３２を介してＰＣ３３や携帯電話３４等と情報伝送を行なうためにも使用される。
【００２３】
また、上記ＵＳＢ端子２３は、一般的なＵＳＢ対応ポートとして使用されるもので、例えばハブ３５を介して、携帯電話３６、デジタルカメラ３７、ＵＳＢメモリ３８、ＨＤＤ３９、キーボード４０等のＵＳＢ機器を接続し、これらのＵＳＢ機器と情報伝送を行なうために使用される。
【００２４】
さらに、上記ＩＥＥＥ１３９４端子２４は、例えばＡＶ−ＨＤＤ４１及びＤ（digital）−ＶＨＳ（video home system）４２等のような複数の情報記録再生機器をシリアル接続し、各機器と選択的に情報伝送を行なうために使用される。
【００２５】
図２は、上記したデジタルテレビジョン放送受信装置１１の主要な信号処理系を示している。すなわち、ＢＳ／ＣＳ（broadcasting satellite／communication satellite）デジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（phase shift keying）復調器４６に供給されてＴＳ（transport stream）が復調される。このＴＳは、ＴＳ復号器４７に供給されることにより、デジタルの映像信号及び音声信号に復調された後、信号処理部４８に出力される。
【００２７】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２８】
そして、このチューナ５１で選局された放送信号は、例えば日本ではＯＦＤＭ（orthogonal frequency division multiplexing）復調器５２に供給されてＴＳが復調される。このＴＳは、ＴＳ復号器５３に順次供給されることにより、デジタルの映像信号及び音声信号に復調された後、上記信号処理部４８に出力される。
【００２９】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００３０】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００３１】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３２】
そして、この信号処理部４８は、上記アナログ復調器５５及び各入力端子５８ａ〜５８ｄからそれぞれ供給されたアナログの映像信号及び音声信号を選択的にデジタル化し、このデジタル化された映像信号及び音声信号に対して所定のデジタル信号処理を施した後、グラフィック処理部５６及び音声処理部５７に出力する。
【００３３】
このうち、グラフィック処理部５６は、信号処理部４８から供給されるデジタルの映像信号に、ＯＳＤ（on screen display）信号生成部５９で生成されるＯＳＤ信号を重畳して出力する機能を有する。このグラフィック処理部５６は、信号処理部４８の出力映像信号と、ＯＳＤ信号生成部５９の出力ＯＳＤ信号とを選択的に出力すること、また、両出力をそれぞれ画面の半分を構成するように組み合わせて出力することができる。
【００３４】
そして、グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３５】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３６】
ここで、このデジタルテレビジョン放送受信装置１１は、上記した各種の受信動作を含むその全ての動作を制御部６３によって統括的に制御されている。この制御部６３は、ＣＰＵ（central processing unit）６４を内蔵しており、前記操作部１６からの操作情報、または、リモートコントローラ１７から送出され前記受光部１８に受信された操作情報を受けて、その操作内容が反映されるように各部をそれぞれ制御している。
【００３７】
この場合、制御部６３は、主として、そのＣＰＵ６４が実行する制御プログラムを格納したＲＯＭ（read only memory）６５と、該ＣＰＵ６４に作業エリアを提供するＲＡＭ（random access memory）６６と、各種の設定情報及び制御情報等が格納される不揮発性メモリ６７とを利用している。
【００３８】
また、この制御部６３は、カードインターフェース６８を介して、前記第１のメモリカード１９が装着可能なカードホルダ６９に接続されている。これにより、制御部６３は、カードホルダ６９に装着された第１のメモリカード１９と、カードインターフェース６８を介して情報伝送を行なうことができる。
【００３９】
さらに、上記制御部６３は、カードインターフェース７０を介して、前記第２のメモリカード２０が装着可能なカードホルダ７１に接続されている。これによって、制御部６３は、カードホルダ７１に装着された第２のメモリカード２０と、カードインターフェース７０を介して情報伝送を行なうことができる。
【００４０】
また、上記制御部６３は、通信インターフェース７２を介して第１のＬＡＮ端子２１に接続されている。これによって、制御部６３は、第１のＬＡＮ端子２１に接続されたＬＡＮ対応のＨＤＤ２５と、通信インターフェース７２を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４１】
さらに、上記制御部６３は、通信インターフェース７３を介して第２のＬＡＮ端子２２に接続されている。これにより、制御部６３は、第２のＬＡＮ端子２２に接続された各機器（図１参照）と、通信インターフェース７３を介して情報伝送を行なうことができる。
【００４２】
また、上記制御部６３は、ＵＳＢインターフェース７４を介して前記ＵＳＢ端子２３に接続されている。これにより、制御部６３は、ＵＳＢ端子２３に接続された各機器（図１参照）と、ＵＳＢインターフェース７４を介して情報伝送を行なうことができる。
【００４３】
さらに、上記制御部６３は、ＩＥＥＥ１３９４インターフェース７５を介してＩＥＥＥ１３９４端子２４に接続されている。これにより、制御部６３は、ＩＥＥＥ１３９４端子２４に接続された各機器（図１参照）と、ＩＥＥＥ１３９４インターフェース７５を介して情報伝送を行なうことができる。
【００４４】
ここで、上記制御部６３は、ファイルメモリ７６と店頭デモンストレーション用制御部７７とを備えている。このうち、ファイルメモリ７６は、店頭デモンストレーション用ファイルを格納している。この店頭デモンストレーション用ファイルは、静止画ファイル群と表示制御ファイル群とを含んでいる。
【００４５】
この場合、静止画ファイル群は、複数種類の静止画ファイルを含んでいる。そして、この複数種類の静止画ファイルは、それぞれが、製品（この場合、デジタルテレビジョン放送受信装置１１）の特徴、機能、性能等を紹介する内容を有する静止画を映像表示器１４に表示させるための静止画情報を含んだものである。
【００４６】
また、表示制御ファイル群は、複数種類の表示制御ファイルを含んでいる。この複数種類の表示制御ファイルは、それぞれが、静止画ファイル群の中で映像表示器１４に表示すべき静止画の情報を有する静止画ファイルのファイル名、その静止画の表示時間や表示順序等を示す表示制御情報を含んでいる。
【００４７】
そして、上記店頭デモンストレーション用制御部７７では、詳細は後述するが、ファイルメモリ７６に記録されている所定の表示制御ファイルに記述された表示制御情報に基づいて、複数種類の静止画ファイルによる静止画を映像表示器１４に表示させるように制御している。
【００４８】
また、この店頭デモンストレーション用制御部７７は、例えば上記した第１のメモリカード１９やＵＳＢメモリ３８等の外部記録媒体が装着されたことを検出し、その外部記録媒体に店頭デモンストレーション用ファイルが格納されているか否かを判別している。そして、外部記録媒体に店頭デモンストレーション用ファイルが格納されていれば、外部記録媒体に記録されている店頭デモンストレーション用ファイルを、ファイルメモリ７６に書き込むように制御する。つまり、ファイルメモリ７６に記録されている店頭デモンストレーション用ファイルを、外部記録媒体に記録されている店頭デモンストレーション用ファイルに変更することができるようになっている。
【００４９】
図３は、上記リモートコントローラ１７の外観を示している。このリモートコントローラ１７には、主として、電源キー１７ａ、入力切替キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切替キー１７ｉ、ナビゲーションキー１７ｊ、戻るキー１７ｋ、終了キー１７ｌ、青，赤，緑，黄のカラーキー１７ｍ、チャンネルアップダウンキー１７ｎ、音量調整キー１７ｏ及びメニューキー１７ｐ等が設けられている。
【００５０】
ここで、上記したデジタルテレビジョン放送受信装置１１における店頭デモンストレーション機能について具体的に説明する。まず、店頭デモンストレーション機能を起動させる場合、販売員は、リモートコントローラ１７のメニューキー１７ｐを操作して、階層構造となされたメニュー画面に分け入ることにより、図４に示すようなノーマル／ストア選択画面７８を映像表示器１４に表示させる。
【００５１】
このノーマル／ストア選択画面７８には、「ノーマルモード」なる項目と「ストア（店頭）モード」なる項目とが表示されている。そして、販売員は、リモートコントローラ１７の上または下方向のカーソルキー１７ｆを操作して「ストアモード」の項目を選択した後、リモートコントローラ１７の決定キー１７ｇを操作する。
【００５２】
すると、映像表示器１４には、図５に示すようなデモ選択画面７９が表示される。このデモ選択画面７９には、「デモンストレーションする」なる項目と「デモンストレーションしない」なる項目とが表示されている。そして、販売員が、リモートコントローラ１７の上または下方向のカーソルキー１７ｆを操作して「デモンストレーションする」の項目を選択し、リモートコントローラ１７の決定キー１７ｇを操作することにより、店頭デモンストレーション機能が開始される。
【００５３】
図６は、上記したファイルメモリ７６に格納される表示制御ファイル群の一例を示している。この表示制御ファイル群は、複数種類の表示制御ファイルＦ１，Ｆ２，……，Ｆｎを有している。この複数種類の表示制御ファイルＦ１〜Ｆｎは、それぞれが、製品の機種ＩＤ（identification）、製品の特徴等を紹介する静止画に記述される言語、その静止画１枚あたりの表示時間（sec）、その静止画の表示が終了してから次の静止画を表示するまでの時間を示す静止画１枚あたりの非表示時間（sec）、表示すべき静止画の情報を有する静止画ファイルのファイル名とその表示順等々を示す表示制御情報を含んでいる。
【００５４】
今、製品（この場合、デジタルテレビジョン放送受信装置１１）の機種ＩＤが「０ｘ５Ａ」であり、店頭に設置された際になされた地域設定が英語圏を示していたとする。すると、上記のようにして販売員により店頭デモンストレーション機能が開始された際、店頭デモンストレーション用制御部７７は、ファイルメモリ７６に格納されている図６に示した表示制御ファイル群の中から、一番上の行の表示制御ファイルＦ１を選択し、その表示制御ファイルＦ１の内容に基づいて店頭デモンストレーション機能を実行する。
【００５５】
図７は、上記した条件で店頭デモンストレーション機能が実行された際における映像表示器１４の画面の表示内容の遷移を示している。まず、図７の画面ａに示すように、通常の放送番組の映像が表示されている状態で、上記した操作部１６やリモートコントローラ１７の操作が一切行なわれない状態が、予め設定された時間（例えば２分間）継続されたとする。
【００５６】
すると、店頭デモンストレーション用制御部７７は、表示制御ファイルＦ１の中で最初に記述されているファイル名「特徴Ａ．ｐｎｇ」の英語版の静止画ファイルを静止画ファイル群の中から検索する。そして、その検索された静止画ファイルに記述されている静止画情報に基づいて、図７の画面ｂに示すように、放送番組の映像の一部に重ねて製品の特徴Ａを紹介する内容を有する静止画「特徴Ａ」を表示させる。
【００５７】
このようにして、映像表示器１４の画面に製品の特徴Ａを紹介する内容を有する静止画「特徴Ａ」が表示されると、店頭デモンストレーション用制御部７７は、表示制御ファイルＦ１に記述された静止画１枚あたりの表示時間（この場合、１０sec）だけ、静止画「特徴Ａ」の表示状態を継続させる。
【００５８】
そして、静止画１枚あたりの表示時間（この場合、１０sec）が経過すると、店頭デモンストレーション用制御部７７は、図７の画面ｃに示すように、静止画「特徴Ａ」の表示を停止し、表示制御ファイルＦ１に記述された静止画１枚あたりの非表示時間（この場合、１０sec）だけ、静止画の非表示状態を継続させる。
【００５９】
その後、静止画１枚あたりの非表示時間（この場合、１０sec）が経過すると、店頭デモンストレーション用制御部７７は、表示制御ファイルＦ１の中でファイル名「特徴Ａ．ｐｎｇ」の次に記述されているファイル名「特徴Ｂ．ｐｎｇ」の英語版の静止画ファイルを静止画ファイル群の中から検索する。
【００６０】
そして、その検索された静止画ファイルに記述されている静止画情報に基づいて、図７の画面ｄに示すように、放送番組の映像の一部に重ねて製品の特徴Ｂを紹介する内容を有する静止画「特徴Ｂ」を表示させる。
【００６１】
このようにして、映像表示器１４の画面に製品の特徴Ｂを紹介する内容を有する静止画「特徴Ｂ」が表示されると、店頭デモンストレーション用制御部７７は、表示制御ファイルＦ１に記述された静止画１枚あたりの表示時間（この場合、１０sec）だけ、静止画「特徴Ｂ」の表示状態を継続させる。
【００６２】
そして、静止画１枚あたりの表示時間（この場合、１０sec）が経過すると、店頭デモンストレーション用制御部７７は、図７の画面ｅに示すように、静止画「特徴Ｂ」の表示を停止し、表示制御ファイルＦ１に記述された静止画１枚あたりの非表示時間（この場合、１０sec）だけ、静止画の非表示状態を継続させる。
【００６３】
その後、静止画１枚あたりの非表示時間（この場合、１０sec）が経過すると、店頭デモンストレーション用制御部７７は、表示制御ファイルＦ１の中でファイル名「特徴Ｂ．ｐｎｇ」の次に記述されているファイル名「特徴Ｃ．ｐｎｇ」の英語版の静止画ファイルを静止画ファイル群の中から検索する。
【００６４】
そして、その検索された静止画ファイルに記述されている静止画情報に基づいて、図７の画面ｆに示すように、放送番組の映像の一部に重ねて製品の特徴Ｃを紹介する内容を有する静止画「特徴Ｃ」を表示させる。
【００６５】
以上のようにして、製品の特徴を紹介する内容を有する複数種類の静止画が順次表示される。その後、店頭デモンストレーション用制御部７７は、表示制御ファイルＦ１の中で最後に記述されているファイル名「特徴Ｍ．ｐｎｇ」の英語版の静止画ファイルを静止画ファイル群の中から検索すると、その静止画ファイルに記述されている静止画情報に基づいて、図７の画面ｇに示すように、放送番組の映像の一部に重ねて製品の特徴Ｍを紹介する内容を有する静止画「特徴Ｍ」を表示させる。
【００６６】
このようにして、映像表示器１４の画面に製品の特徴Ｍを紹介する内容を有する静止画「特徴Ｍ」が表示されると、店頭デモンストレーション用制御部７７は、表示制御ファイルＦ１に記述された静止画１枚あたりの表示時間（この場合、１０sec）だけ、静止画「特徴Ｍ」の表示状態を継続させる。
【００６７】
そして、静止画１枚あたりの表示時間（この場合、１０sec）が経過すると、店頭デモンストレーション用制御部７７は、図７の画面ａに示すように、静止画「特徴Ｍ」の表示を停止する。
【００６８】
以下、操作部１６やリモートコントローラ１７の操作が一切行なわれない状態が、予め設定された時間（例えば２分間）継続されると、店頭デモンストレーション用制御部７７は、表示制御ファイルＦ１の中で最初に記述されているファイル名「特徴Ａ．ｐｎｇ」の英語版の静止画ファイルを静止画ファイル群の中から検索し、以下、同様な動作が繰り返し行なわれることになる。
【００６９】
なお、店頭デモンストレーション用制御部７７は、上記したような店頭デモンストレーション機能の実行中に、操作部１６やリモートコントローラ１７の操作が行なわれた場合には、直ちに店頭デモンストレーション機能の実行を中止して、操作された内容が制御部６３によって実行されるように機能する。
【００７０】
図８は、上記した店頭デモンストレーション用制御部７７の処理動作をまとめたフローチャートを示している。すなわち、処理が開始（ステップＳ１）されると、店頭デモンストレーション用制御部７７は、ステップＳ２で、店頭デモンストレーション機能の実行が要求されたか否かを判別する。
【００７１】
店頭デモンストレーション機能の実行が要求されたことは、図５に示したデモ選択画面７９において「デモンストレーションする」の項目が選択決定されたことによって判別することができる。
【００７２】
そして、上記ステップＳ２において、店頭デモンストレーション機能の実行が要求されたと判断された場合（ＹＥＳ）、店頭デモンストレーション用制御部７７は、ステップＳ３で、上記した第１のメモリカード１９やＵＳＢメモリ３８等の外部記録媒体が装着され、その外部記録媒体に店頭デモンストレーション用ファイルが格納されているか否かを判別する。
【００７３】
ここで、外部記録媒体に店頭デモンストレーション用ファイルが格納されていると判断された場合（ＹＥＳ）、店頭デモンストレーション用制御部７７は、ステップＳ４で、ファイルメモリ７６に記録されている店頭デモンストレーション用ファイルを、外部記録媒体に記録されている店頭デモンストレーション用ファイルに書き替える。
【００７４】
このステップＳ４の後、または、上記ステップＳ３で外部記録媒体に店頭デモンストレーション用ファイルが格納されていないと判断された場合（ＮＯ）、店頭デモンストレーション用制御部７７は、ステップＳ５で、操作部１６やリモートコントローラ１７の操作が一切行なわれない状態が、予め設定された時間（例えば２分間）継続されたか否かを判別する。
【００７５】
そして、非操作状態が所定時間継続されたと判断された場合（ＹＥＳ）、店頭デモンストレーション用制御部７７は、ステップＳ６で、ファイルメモリ７６の格納された表示制御ファイルに基づいて製品の特徴を紹介する内容を有する静止画を順次表示する、店頭デモンストレーション機能を実行して、処理を終了（ステップＳ８）する。
【００７６】
また、上記ステップＳ５で所定時間以内に操作が行なわれたと判断された場合（ＮＯ）、店頭デモンストレーション用制御部７７は、ステップＳ７で、店頭デモンストレーション機能を行なわず、操作された内容が制御部６３によって実行されるように機能して、処理を終了（ステップＳ８）する。
【００７７】
上記した実施の形態によれば、店頭デモンストレーション用ファイルを格納した外部記録媒体を装着することにより、外部記録媒体に記録されている店頭デモンストレーション用ファイルを、ファイルメモリ７６に書き込めるようにしている。このため、ファイルメモリ７６に格納されている店頭デモンストレーション用ファイルを容易に書き替えることができる。このため、製品の特徴を紹介する静止画やその表示制御に関する情報等が容易に変更可能となり、店頭での状況に応じた内容の店頭デモンストレーション機能を実現させることができ、十分に実用に適するものとなる。
【００７８】
また、ファイルメモリ７６に格納されている店頭デモンストレーション用ファイルは、例えば静止画ファイル群だけ、または、表示制御ファイル群だけの書き替えを行なうことも可能である。この場合、静止画ファイル毎または表示制御ファイル毎に書き替えを行なうようにすることもできる。
【００７９】
この場合には、外部記録媒体に記録されている店頭デモンストレーション用ファイルのうち、書き替えるべき特定のファイルに書き替え要求情報を付しておけば、外部記録媒体が装着されたとき、書き替え要求情報の付されたファイルのみをファイルメモリ７６に格納されているファイルと書き替えることができ、効率の良い書き替え動作を行なうことができる。
【００８０】
また、上記した実施の形態では、製品の特徴を紹介するために静止画を用いることについて説明したが、これは、例えば動画等でも良いことはもちろんである。つまり、製品の特徴を紹介するためには、図６に示した静止画ファイルだけでなく、例えば拡張子が.mp4というような動画ファイルであっても良いものである。
【００８１】
この場合、もし、動画ファイルの再生時間が、表示制御ファイルで指定された時間よりも短い場合には、同じ動画ファイルを頭から繰り返し再生しても良いし、動画ファイルの最後の画像で静止画としてもよい。
【００８２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８３】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…ＵＳＢメモリ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６４…ＣＰＵ、６５…ＲＯＭ、６６…ＲＡＭ、６７…不揮発性メモリ、６８…カードインターフェース、６９…カードホルダ、７０…カードインターフェース、７１…カードホルダ、７２…通信インターフェース、７３…通信インターフェース、７４…ＵＳＢインターフェース、７５…ＩＥＥＥ１３９４インターフェース、７６…ファイルメモリ、７７…店頭デモンストレーション用制御部、７８…ノーマル／ストア選択画面、７９…デモ選択画面。
【図１】
2011160144.tif 000003
【図２】
2011160144.tif 000004
【図３】
2011160144.tif 000005
【図４】
2011160144.tif 000006
【図５】
2011160144.tif 000007
【図６】
2011160144.tif 000008
【図７】
2011160144.tif 000009
【図８】
2011160144.tif 000010
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
製品を紹介する内容の映像を表示するための映像情報と、前記映像情報に基づく映像の表示に関する制御情報とを記録する記録手段と、
前記記録手段に記録された制御情報を用いて前記映像情報に基づく映像を放送番組の映像の一部に重ねて表示する表示手段と、
接続された外部記録媒体に記録されている映像情報または制御情報を前記記録手段に書き込む制御手段とを具備し、
前記制御手段は、
前記外部記録媒体が接続される接続手段と、
前記接続手段に前記外部記録媒体が接続されたことを検出する検出手段と、
前記検出手段で接続されていることが検出された前記外部記録媒体に映像情報または制御情報が記録されていることを判別する判別手段と、
前記判別手段で映像情報または制御情報が記録されていると判別された前記外部記録媒体から映像情報または制御情報を前記記録手段に書き込む書き込み手段とを備える映像表示装置。
【請求項２】
前記記録手段は、
それぞれが製品を紹介する内容の映像を表示するための映像情報を含む複数の映像ファイルと、
それぞれが前記複数の映像ファイルに含まれる映像情報に基づく映像の表示に関する制御情報を含む複数の表示制御ファイルとを記録する請求項１記載の映像表示装置。
【請求項３】
前記記録手段は、
それぞれが製品の特徴、機能、性能の少なくともいずれかを紹介する内容の映像を表示するための映像情報を含む複数の映像ファイルと、
それぞれが、製品の機種毎に、前記複数の映像ファイルのファイル名、そのファイル名で指定される映像ファイルに含まれる映像情報に基づく映像の表示時間及び表示順序の少なくともいずれかを示す制御情報を含む複数の表示制御ファイルとを記録する請求項１記載の映像表示装置。
【請求項４】
前記記録手段は、
それぞれが製品の特徴、機能、性能の少なくともいずれかを紹介する内容の映像を表示するための映像情報を含む複数の映像ファイルと、
それぞれが、製品を紹介する内容の映像に表示される言語毎に、前記複数の映像ファイルのファイル名、そのファイル名で指定される映像ファイルに含まれる映像情報に基づく映像の表示時間及び表示順序の少なくともいずれかを示す制御情報を含む複数の表示制御ファイルとを記録する請求項１記載の映像表示装置。
【請求項５】
前記制御情報は、製品を紹介する内容の映像に表示される言語を指定する情報を含んでいる請求項１記載の映像表示装置。
【請求項６】
製品を紹介する内容の映像を表示するための映像情報と、前記映像情報に基づく映像の表示に関する制御情報とを記録手段に記録する工程と、
記録された制御情報を用いて前記映像情報に基づく映像を放送番組の映像の一部に重ねて表示する工程と、
外部記録媒体が接続されたことを検出する工程と、
接続されていることが検出された前記外部記録媒体に映像情報または制御情報が記録されていることを判別する工程と、
映像情報または制御情報が記録されていると判別された前記外部記録媒体から映像情報または制御情報を前記記録手段に書き込む工程とを有する映像表示方法。
【手続補正２】
【補正対象書類名】明細書
【補正対象項目名】０００８
【補正方法】変更
【補正の内容】
【０００８】
この発明に係る映像表示装置は、製品を紹介する内容の映像を表示するための映像情報と、映像情報に基づく映像の表示に関する制御情報とを記録する記録手段と；記録手段に記録された制御情報を用いて映像情報に基づく映像を放送番組の映像の一部に重ねて表示する表示手段と；接続された外部記録媒体に記録されている映像情報または制御情報を記録手段に書き込む制御手段とを具備し；制御手段は、外部記録媒体が接続される接続手段と、接続手段に外部記録媒体が接続されたことを検出する検出手段と、検出手段で接続されていることが検出された外部記録媒体に映像情報または制御情報が記録されていることを判別する判別手段と、判別手段で映像情報または制御情報が記録されていると判別された外部記録媒体から映像情報または制御情報を記録手段に書き込む書き込み手段とを備えるようにしたものである。
【手続補正３】
【補正対象書類名】明細書
【補正対象項目名】０００９
【補正方法】変更
【補正の内容】
【０００９】
また、この発明に係る映像表示方法は、製品を紹介する内容の映像を表示するための映像情報と、映像情報に基づく映像の表示に関する制御情報とを記録手段に記録する工程と；記録された制御情報を用いて前記映像情報に基づく映像を放送番組の映像の一部に重ねて表示する工程と；外部記録媒体が接続されたことを検出する工程と；接続されていることが検出された外部記録媒体に映像情報または制御情報が記録されていることを判別する工程と；映像情報または制御情報が記録されていると判別された外部記録媒体から映像情報または制御情報を記録手段に書き込む工程とを有するようにしたものである。
【手続補正４】
【補正対象書類名】明細書
【補正対象項目名】００１０
【補正方法】変更
【補正の内容】
【００１０】
上記した発明によれば、映像情報とその制御情報とを記録手段に記録するもので、記録手段に記録された制御情報を用いて映像情報に基づく映像を放送番組の映像の一部に重ねて表示するものに対し、接続された外部記録媒体に記録されている映像情報または制御情報を記録手段に書き込むようにしたので、製品の特徴を紹介する映像やその表示制御に関する情報等が容易に変更可能となり、店頭での状況に応じた内容の店頭デモンストレーション機能を実現させることができ、実用に適するものとなる。